(57)【要約】【課題】本体の転倒時に蒸気案内筒がはずれないようにして熱水の流出を防止できる加湿機を提供すること。【解決手段】蒸気案内筒３を送風筒部８に係脱可能に固定する固定手段１５を、送風筒部８の上部に凸部１０を設け、蒸気案内筒３に凸部１０に嵌合する嵌合部１３を設けて形成するとともに、固定手段１５の固定が維持できるように、送風筒部８側に係止部１１を設け、係止部１１に係合する爪部１４を蒸気案内筒に設けて係止手段１１を形成することにより本体７の転倒時に蒸気案内筒が外れず熱水が漏出するのを防止することができる。【選択図】  図１
2005016868.tif 000002
【特許請求の範囲】
【請求項１】
送風手段の風を導くために設けられた送風筒部と、加熱ユニットで発生する蒸気を案内する蒸気案内筒と、この蒸気案内筒を前記送風筒部に係脱可能に固定する固定手段とを設けた本体を備え、前記固定手段は、前記送風筒部に凸部を設け、前記蒸気案内筒に前記凸部に嵌合する嵌合部を設け固定するとともに、係脱可能な係止手段を設け、固定状態を維持する構成とした加湿機。
【請求項２】
蒸気案内筒の内部に、中央に開口を有した環状の仕切壁を設け、前記仕切壁の上部側で、前記蒸気案内筒に連通するように送風筒部を接続してなる請求項１記載の加湿機。
【請求項３】
蒸気案内筒に設けた仕切壁の下部側に加熱ユニットで加熱される所定水位の熱水を貯えるように設けられる蒸気室を備え、本体の転倒時に、前記蒸気案内筒の熱水が環状の仕切壁の開口より流出しないように、蒸気案内筒の保水容量を前記熱水の水量より大とした請求項２記載の加湿機。
【請求項４】
送風筒部内に負イオン発生装置を設け、送風筒部に設けた凸部に吹出窓を設けた請求項１記載の加湿機。
【請求項５】
送風筒部は蒸気案内筒に連通する蒸気搬送風路と、負イオン発生装置を収納する負イオン供給室と、この負イオン供給室に隣接して吹出窓に連通する負イオン搬送風路とを備え、前記負イオン供給室は、頂部に保護壁を設け、前記負イオン搬送風路と連通する開口部を側方に設け、下部に送風手段からの流入口を設け、前記負イオン発生装置の針状部の向きを前記開口部の方向とした請求項４記載の加湿機。
【発明の詳細な説明】
【０００１】
【発明の属する技術分野】
本発明は、ヒーターで過熱され発生した蒸気を室内に放散して加湿を行う加湿機に関するものである。
【０００２】
【従来の技術】
従来、この種の加湿機は、転倒時に熱湯が吹出口から流出しないようにしたものが知られている。（例えば、特許文献１参照。）以下、その加湿機について図７および図８を参照しながら説明する。
【０００３】
図に示すように、加湿釜１０１の上方開口部と連通して着脱可能に接合される霧化筒１０２の上端部に偏心して吹出口１０３を有し、この吹出口１０３の下方の霧化筒１０２の内に遮蔽板１０４を備え、この遮蔽板１０４の吹出口１０３の投影が重ならない位置に吹出口１０３と本体１０５の中心点または、本体１０５の中心線に対して反対側に蒸気１０６を設けていた。
【０００４】
また、他の例として、転倒時に熱湯が吹出口から流出しないようにしたものが知られている（例えば、特許文献２参照。）以下、その加湿機について図９および図１０を参照しながら説明する。
【０００５】
図に示すように、蒸気案内筒２０１は、内部空間を上下に区画する仕切壁２０２を形成し、仕切壁２０２に横長形状の蒸気通路口２０３を設け、蒸気通路口２０３は、上部水平壁２０４と下部水平壁２０５を連絡する垂直または傾斜した段差壁２０６に設けられ、蒸気案内筒２０１の側壁に設けた空気取入口２０７に向かい合うように構成していた。
【０００６】
【特許文献１】
特開平５‐１８５６８号公報（［００１５］、図１および図２）
【特許文献２】
特開２００２−１０６８９７号公報（［００２５］〜［００２７］、図１、図７）
【０００７】
【発明が解決しようとする課題】
しかしながら、上記従来の構成では、特許文献１においては、霧化筒１０２は単に着脱自在に設けられているものであるため、転倒時に霧化筒１０２が外れ熱水が漏出するという課題があった。
【０００８】
また、特許文献２においては、仕切壁２０２の構造が複雑であるとともに、負イオンを効率良く発生するように付加することができず、加湿装置の本体２０８の平面形状が楕円形状に限定されるものであるという課題があった。
【０００９】
本発明は、上記課題を解決するもので、本体の形状に限定されることがなく、また、転倒時に蒸気案内筒が外れないようにして熱水の流出を防止でき、また、負イオンを効率良く発生することのできる加湿機を提供することを目的とする。
【００１０】
【課題を解決するための手段】
上記課題を解決するために、本発明の加湿機は、送風手段の風を導くために設けられた送風筒部と、加熱ユニットで発生する蒸気を案内する蒸気案内筒と、この蒸気案内筒を前記送風筒部に係脱可能に固定する固定手段とを設けた本体を備え、前記固定手段は、前記送風筒部に凸部を設け、前記蒸気案内筒に前記突部に係合する嵌合部を設け固定するとともに係脱可能な係止手段により固定状態を維持する構成としたものである。
【００１１】
また、蒸気案内筒の内部に中央に開口を有した環状の仕切壁を設け、前記仕切壁の上部側で前記蒸気案内筒に連通するように送風筒部を接続してなる構成としたものである。
【００１２】
また、蒸気案内筒に設けた仕切壁の下部側に加熱ユニットで加熱される所定水位の熱水を貯溜するように設けられる蒸気室を備え、本体の転倒時に、前記蒸気案内筒の熱水が環状の仕切壁の開口より流出しないように、蒸気案内筒の保水容量を前期熱水の水量より大とした構成としたものである。
【００１３】
また、送風部内に負イオン発生装置を設け、送風筒部に設けた凸部に吹出窓を設けた構成としたものである。
【００１４】
また、送風筒部は蒸気案内筒に連通する蒸気搬送風路と、負イオン発生装置を収納する負イオン供給室と、この負イオン供給室に隣接して吹出窓に連通する負イオン搬送風路を備え、前記負イオン供給室は、頂部に保護壁を設け、前記負イオン搬送風路と連通する開口部を側方に設け、下部に送風手段からの流入口を設け、前記負イオン発生装置の針状部の向きを、前記開口部の方向としたものである。
【００１５】
【発明の実施の形態】
請求項１に記載の発明は、送風手段の風を導くために設けられた送風筒部と、加熱ユニットで発生する蒸気を案内する蒸気案内筒と、この蒸気案内筒を前記送風筒部に係脱可能に固定する固定手段とを設けた本体を備え、前記固定手段は、前記送風筒部に凸部を設け、前記蒸気案内筒に前記凸部に嵌合する嵌合部を設け固定するとともに、係脱可能な係止手段を設け、固定状態を維持する構成としたことにより、蒸気案内筒が固定手段と係止手段により取り付けられることとなり、本体転倒時に蒸気案内筒が簡単に外れて熱湯が漏出することが防止されるとともに、蒸気案内筒を取り付けるときの位置決めが簡単にできることとなる。
【００１６】
請求項２記載の発明は、蒸気案内筒の内部に、中央に開口を有した環状の仕切壁を設け、前記仕切壁の上部側で前記蒸気案内筒に連通するように送風筒部を接続してなる構成としたことにより、送風筒部からの気流が加熱ユニット付近の熱水を冷却しないように保温することができ、また、本体転倒時に熱水が送風筒部に直接入らないようにして安全性を保つことができる。
【００１７】
請求項３に記載の発明は、蒸気案内筒に設けた仕切壁の下部側に加熱ユニットで加熱される所定水位の熱水を貯溜するように設けられる蒸気質を備え、本体の転倒時に前記蒸留案内筒の熱水が環状の仕切壁の開口より流出しないように、蒸気案内筒の保水容量を前記熱水の水量より大としたことにより、本体転倒時に熱水を蒸気発生筒の蒸気室内に封じ込めることができる。
【００１８】
請求項４に記載の発明は、送風筒部内に負イオン発生装置を設け、送風筒部を設けた凸部に吹出窓を設けたことにより、送風筒部の内部空間を有効利用して負イオン発生装置を取り付け、蒸気吐出口とやや離れた吹出窓から負イオンを供給し、負イオンを減らすことなく、風に乗せて室内に広く拡散することができる。
【００１９】
請求項５に記載の発明は、送風筒部は蒸気案内筒に連通する蒸気搬送風路と、負イオン発生装置を収納する負イオン供給室と、この負イオン供給室に隣接して吹出窓に連通する負イオン搬送風路とを備え、前記負イオン供給室は、頂部に保護壁を設け、前記負イオン搬送風路と連通する開口部を側方に設け、下部に送風手段からの流入口を設け、前記負イオン発生装置の針状部の向きを前記開口部の方向としたことにより、負イオン発生装置の針状部に直交する負イオン搬送風路の気流で吹出窓から負イオンを吹き出すときに、負イオン供給室にも気流を通して針状部に略平行な気流を加えることとなり、負イオンの発生量を増加することができ、また、負イオン発生装置に手や異物が触れない保護壁を設ける構成としても、負イオン発生量を低下させることがなく、負イオン効果を充分に発揮することができる。
【００２０】
以下、本発明の実施例について図面を参照しながら説明する。
【００２１】
【実施例】
（実施例１）
図１〜図６に示すように、底部に逆方状で内部にヒーター１を有した加熱ユニット２を設けた筒状の蒸気案内筒３の内部に、中央に開口４を有した環状の仕切壁５を設け、開口４の周囲に環状片４ａを乗設している。仕切壁５の上部側で、蒸気案内筒３の側方より連通するように逆風手段６の風を導くために、本体７に一体に設けられる送風筒部８の上方部側方に連通口９を設け、送風筒部８の上部には方形状の凸部１０と、凸部１０の近傍には爪などが係合して係止される係止部１１を設ける。
【００２２】
また、蒸気案内筒３の外周には取付部１２を設け、取付部１２には送風筒部８に設けた凸部１０に嵌合される方形状の嵌合部１３と係止部１１に係止される爪部１４を係脱自在に可動操作できるように設け、方形状の凸部１０と方形枠状の嵌合部１３により固定手段１５を形成し、係止部１１と爪部１４により係止手段１６を形成する。
【００２３】
また、蒸気案内筒３に設けた加熱ユニット２で加熱される水は、本体７に着脱自在に設けられる給水タンク１７により給水されるように設けられ、蒸気案内筒３に設けた仕切壁５の下部側に加熱ユニット２で加熱される所定水位の熱水と発生した蒸気を貯える蒸気室１８を形成している。なお、本体７の上部外周にＵ字状の取手部７ａを設けている。
【００２４】
もし本体７が前後左右のいずれの方向に転倒した場合でも、蒸気案内筒３の熱水が環状の仕切壁５の開口４より流出しないように、蒸気案内筒３の蒸気室の保水容量が熱水の水量より大となるように形成し、開口部４に乗設した環状片４ａにより熱水が開口部４を容易に通過しない形状としている。
【００２５】
また、送風筒部８は蒸気案内筒３に連通する蒸気搬送風路１９と、針状部２０ａを設けた負イオン発生装置２０を収納する負イオン供給室２１と、負イオン供給室２１に隣接して送風筒部８に設けられた吹出窓２２に連通する負イオン搬送風路２３を設けている。負イオン供給室２１には頂部に保護壁２４を設け、負イオン搬送風路２３と連通する開口部２５を側方に設け、下部には送風手段６からの流入口２６を設け、負イオン発生装置２０の針状部２０ａの向きを開口部２５の方向に設け構成する。
【００２６】
上記構成において、加湿機を運転すると蒸気案内筒３内に設けた加熱ユニット２で加熱された熱水の蒸気が蒸気室１８より上昇し、蒸気案内筒３内に設けた仕切壁５の開口４より仕切壁５の上部側に送られる。
【００２７】
一方、送風手段６により送風筒部８内に送られた空気は、蒸気案内筒３の上部に案内されていた蒸気と合流し、加湿口２７より室内に加湿空気として放散され加湿される。
【００２８】
そして、負イオン発生装置２０で発生した負イオンは、送風手段６からの空気の流入口２５より負イオン供給室２１に送られた空気とともに、開口部２５より隣接する負イオン搬送風路２３に流入し、本体７の上部に設けたイオン発生口３０より室内に放散されることとなる。
【００２９】
また、何らかの原因で本体７が転倒した場合は、前方への転倒を除いて図４および図５に示すように、取手部７ａの上に重なる形で倒れる。このとき蒸気案内筒３の蒸気室１８内の熱水２８を仕切壁５と環状片４ａにより開口４の通過を阻止するとともに、蒸気案内筒３が横になったときの蒸気室１８の保水容量を熱水２８の水量より大としていることにより、熱水２８の水位は仕切壁５に設けた開口４より下方位置となる所定水位２９となり、熱水２８が開口４を通過して加湿口２７方向へ漏出しないよう防いでいる。
【００３０】
なお、本実施例では本体７が転倒する２方向について図示したが、他の方向への転倒時も同様に熱水２８の漏出を防ぐことができる。
【００３１】
このように本発明の実施例１の加湿機によれば送付手段６の風を導くために設けられた送風筒部８と、加熱ユニット２で発生する蒸気を案内する蒸気案内筒３と、蒸気案内筒３を送風筒部８に係脱可能に固定する固定手段１５とを設けた本体７を備え、固定手段１５は、送風筒部８に凸部１０を設け、蒸気案内筒３に凸部１０に嵌合する嵌合部１３を設け固定するとともに、係脱可能な係止手段１６を設け、固定手段を維持する構成としたことにより、固定手段１５による嵌合固定と、係止手段１６による係止作用の組合せにより、本体７の転倒時に蒸気案内筒３は簡単には外れず熱湯が漏出するのを防止することができる。また、仕切壁５に設けられる開口４は偏心位置に設けられていないことにより、本体７の形状や転倒方向が限定されるものではなくなるとともに、蒸気案内筒３を取り付けるときの位置決めが簡単にできる。
【００３２】
また、蒸気案内筒３の内部に中央に開口４を有した環状の仕切壁５を設け、仕切壁５の上部側で蒸気案内筒３に連通するように送風筒部８を接続してなる構成としたことにより、送風筒部８から送られる空気は、仕切壁５により仕切られた蒸気案内筒３の上部側に送られ、加熱ユニット２を設けた仕切壁５内の下部側の蒸気案内筒３側に送られることがなくなり、加熱ユニット２で加熱された熱水が冷却されるのが防止され加湿効果が低減することがなくなる。また、本体７の転倒時に熱水が加湿口２７や送風筒部８へ漏れ出るのが防止され安全性が高められる。
【００３３】
また、蒸気案内筒３に設けた仕切壁５の下部側に加熱ユニット２で加熱される所定水位２９の熱水２８を貯えるように設けられる蒸気室１８を備え、本体７の転倒時に蒸気案内筒３の熱水２８が環状の仕切壁５の開口４より流出しないように、蒸気案内筒３の保水容量を熱水２８の水量より大としたことにより、本体７の転倒時に熱水２８を蒸気発生筒３の蒸気室１８内に封じ込めることができ、安全性を高めることができる。
【００３４】
また、送風手段８内に負イオン発生装置２０を設け、送風筒部８に設けた凸部１０に吹出窓２２を設けたことにより、送風筒部８の内部空間を有効利用して負イオン発生装置２０を取り付け、加湿口２７とやや離れた吹出窓２２から負イオンを供給し、負イオンを減少することなく、風に乗せて、室内に広く拡散することができる。
【００３５】
また、送風筒部８は蒸気案内筒３に連通する蒸気搬送風路１９と、負イオン発生装置２０を収納する負イオン供給室２１と、負イオン供給室２１に隣接して吹出窓２２に連通する負イオン搬送風路２３とを備え、負イオン供給室２１は、頂部に保護壁２４を設け、負イオン搬送風路２３と連通する開口部２５を側方に設け、下部に送風手段６からの流入口２６を設け、負イオン発生装置２０の針状部２０ａの向きを開口部２５の方向としたことにより、負イオン発生装置２０の針状部２０ａに直交する負イオン搬送風路２３の気流で吹出窓２２から負イオンを吹き出すときに、負イオン供給室２１にも気流を通して針状部２０ａに略平行な気流を加えることとなり、負イオンの発生量を増加することができ、また、負イオン発生装置２０に手や異物が触れないように保護壁２４を設ける構成としても、負イオン発生量を低下させることがなく、安全性を確保して負イオンを安定して供給することができる。
【００３６】
【発明の効果】
以上の実施例から明らかなように、本発明によれば、送風手段の風を導くために設けられた送風筒部と、加熱ユニットで発生する蒸気を案内する蒸気案内筒と、この蒸気案内筒を前記送風筒部に係脱可能に固定する固定手段とを設けた本体を備え、前記固定手段は、前記送風筒部に凸部を設け、前記蒸気案内筒に前記凸部に嵌合する嵌合部を設け固定するとともに、係脱自在な係止手段を設け、固定状態を維持する構成としたので、本体転倒時に蒸気案内筒が簡単には外れず、熱湯が漏出するのを防止できる加湿機を提供することができる。
【００３７】
また、蒸気案内筒の内部に、中央に開口を有した環状の仕切壁を設け、前記仕切壁の上部側で前記蒸気案内筒に連通するように送風筒部を接続してなる構成としたので、送風筒部からの気流で熱水が冷却されないようにすることができ、また、本体転倒時に熱水が送風筒部に直接侵入することがなく、安全性を保つことができる。
【００３８】
また、蒸気案内筒に設けた仕切壁の下部側に加熱ユニットで加熱される所定水位の熱水を貯えるように設けられる蒸気室を備え、本体転倒時に前記蒸気案内筒の熱水が環状の仕切壁の開口より流出しないように、蒸気案内筒の保水容量を、前記熱水の水量より大としたので、本体の転倒時に熱水を蒸気室内に封じ込めることができ安全性が保持される。
【００３９】
また、送風筒部内に負イオン発生装置を設け、送風筒部に設けた凸部に吹出窓を設けたので、送風筒部の内部空間を有効利用することができ、また、負イオンが減少されることなく室内に広く拡散することができる。
【００４０】
また、送風筒部は蒸気案内筒に連通する蒸気搬送風路と、負イオン発生装置を収納する負イオン供給室と、この負イオン供給室に隣接して吹出窓に連通する負イオン搬送風路とを備え、前記負イオン供給室は、頂部に保護壁を設け、前記負イオン搬送風路と連通する開口部を側方に設け、下部に送風手段からの流入口を設け、前記負イオン発生装置の針状部の向きを前記開口部の方向としたので、負イオン発生が減少するのを防ぎ、安全性を確保しつつ負イオンを安定して供給することができる。
【図面の簡単な説明】
【図１】本発明の実施例１の加湿機の分解斜視図
【図２】同加湿機の蒸気案内筒の構成を示す断面図
【図３】（イ）同加湿機の送風筒部の構成を示す断面図
（ロ）同送風筒部の負イオン発生の状態を示す要部断面図
【図４】同加湿機の本体が後側に転倒したときの状態を示す要部断面図
【図５】同加湿機の本体が右側に転倒したときの状態を示す断面図
【図６】同加湿機の外観斜視図
【図７】従来の加湿機の断面図
【図８】同加湿機の霧化筒の断面図
【図９】従来の他の加湿機の断面図
【図１０】同加湿機の蒸気案内筒の斜視図
【符号の説明】
２  加熱ユニット
３  蒸気案内筒
４  開口
５  仕切壁
６  送風手段
７  本体
８  送風筒部
１０  凸部
１３  嵌合部
１５  固定手段
１６  係止手段
１８  蒸気室
１９  蒸気搬送風路
２０  負イオン発生装置
２０ａ  針状部
２１  負イオン供給室
２２  吹出窓
２３  負イオン搬送風路
２４  保護壁
２５  開口部
２６  流入口
２７  加湿口
２８  熱水
２９  所定水位
【図１】
2005016868.tif 000003
【図２】
2005016868.tif 000004
【図３】
2005016868.tif 000005
【図４】
2005016868.tif 000006
【図５】
2005016868.tif 000007
【図６】
2005016868.tif 000008
【図７】
2005016868.tif 000009
【図８】
2005016868.tif 000010
【図９】
2005016868.tif 000011
【図１０】
2005016868.tif 000012